(57)【要約】【課題】複数のレーザ光源を備える光学走査装置において、光学部品にストレスを与えることなくレーザ光源装置を取り付け、かつレーザ光源装置を安定して固定させることが可能な光学走査装置を提供する。【解決手段】半導体レーザ３１を有するレーザ光源装置５０と、レーザ光を偏向走査する回転多面鏡１２と、レーザ光の光路上に設けられる光学部品と、回転多面鏡１２及び光学部品を収容する光学箱３０と、を備え、光学箱３０の側面にはトンネル形状の中空部が形成されると共に、レーザ光源装置５０が、中空部内に取り付けられる板バネ４０に付勢されて中空部内の内壁に押し付けられることで、光学箱３０に対して位置決めされる光学走査装置５１ａであって、レーザ光源装置５０は、レーザホルダ３３を備え、レーザホルダ３３の外周には当接面３６と、位置決め基準面３４、３５が形成される。【選択図】図３
2009150994.tif 000002
【特許請求の範囲】
【請求項１】
複数のレーザ光源を有するレーザ光源装置と、
前記レーザ光源装置から射出されるレーザ光を偏向走査する偏向手段と、
前記レーザ光の光路上に設けられる光学部品と、
前記偏向手段、及び前記光学部品を収容する光学箱と、
を備え、
前記光学箱の側面にはトンネル形状の中空部が形成されると共に、
前記レーザ光源装置が、前記中空部内に取り付けられる弾性部材に付勢されて前記中空部内の内壁に押し付けられることで、前記光学箱に対して位置決めされる光学走査装置であって、
前記レーザ光源装置は、
前記複数のレーザ光源を保持するホルダ部材を備え、
前記ホルダ部材の外周には、
前記レーザ光の射出方向と直交する方向に凸である凸部と、
前記中空部内の内壁に当接して、前記光学箱に対して前記レーザ光源装置を位置決めする位置決め基準面と、
が形成され、
前記レーザ光源装置を前記トンネル形状の中空部内に取り付ける際は、
前記凸部を前記弾性部材に当接させないようにして前記中空部内に挿入し、
所定の位置まで挿入した後に、前記レーザ光源装置を前記レーザ光が射出される方向と直交する方向に所定角度回転させて前記凸部と前記弾性部材を当接させることで、前記凸部が前記弾性部材から付勢されて前記位置決め基準面が前記中空部内の内壁に押し付けられ、
これにより前記レーザ光源装置が前記光学箱に対して位置決め可能に構成されることを特徴とする光学走査装置。
【請求項２】
前記中空部には、
複数の前記レーザ光源装置が、水平方向に隣り合うようにかつ各々の前記レーザ光源装置の光軸が平行になるように設けられ、
前記偏向手段の異なる反射面に各々の前記レーザ光源装置からのレーザ光が入射可能に構成されることを特徴とする請求項１に記載の光学走査装置。
【請求項３】
前記中空部には、
複数のレーザ光源装置から射出されるレーザ光が互いに近づく方向に複数の前記レーザ光源装置が傾けて設けられ、
前記偏向手段の同一の反射面に各々の前記レーザ光源装置からのレーザ光が入射可能に構成されることを特徴とする請求項１に記載の光学走査装置。
【発明の詳細な説明】
【技術分野】
【０００１】
本発明は、レーザビームプリンタやカラーデジタル複写機等の画像形成装置において、レーザ光を感光体の表面上に高精度に偏向走査する光学走査装置に関する。
【背景技術】
【０００２】
従来より、感光体の表面を露光することで形成された静電潜像にシアン、マゼンタ、イエロー、ブラックのトナーを供給し、各色のトナー像を被転写材に重ね合わせて転写することで所望の画像を得る電子写真方式の画像形成装置が知られている。
【０００３】
このような画像形成装置には、トナーごとに対応して設けられた感光体の表面上にレーザ光を偏向走査して静電潜像を形成する手段として、光学走査装置が備えられている。光学走査装置は、レーザ光を射出するレーザ光源装置と、射出されたレーザ光を反射、結像するための複数の光学部品と、を有することが一般的である。
【０００４】
また、より良好な画像品質を得るために、光学走査装置には、入力された画像情報に基づいて感光体の表面上に高精度にレーザ光を偏向走査する性能が求められる。
【０００５】
特許文献１には、パーソナルコンピュータ等から入力される画像情報に対応して色毎に分解された変調信号を複数のレーザ光源に入力して、各々のレーザ光源に対応する像担持体（感光体）にレーザ光を射出する構成が開示されている。
【０００６】
さらに特許文献１に開示される走査光学装置は、レーザ光源を保持する保持部材を光学箱に形成された位置決め溝に装着すると共に、隣接する位置決め溝の開口部分が互いに対向するよう形成されることが特徴である。
【０００７】
このように位置決め溝を形成すると、レーザ光源の発熱によってレーザ光源の一部が膨張した場合でも、像担持体上に形成される走査線の位置ずれを抑制することが可能になる。
【０００８】
また、特許文献２には、モータによって回転駆動する回転多面鏡を備える偏向走査装置の構成が開示されている。このような偏向走査装置にあっては、モータが駆動することによって生じる振動が光学部品に伝わり、レーザ光の照射精度が低下するといった問題があった。
【０００９】
これに対して特許文献２に開示される偏向走査装置は、加振部であるモータの近傍の光学箱をトンネル形状とすることで光学箱の剛性を向上させ、モータの振動が光学箱を介して光学部品へ伝わることを低減させる構成を有している。
【特許文献１】特開２００６−１５９７４３号公報
【特許文献２】特開平１１−５２２６９号公報
【発明の開示】
【発明が解決しようとする課題】
【００１０】
しかしながら上記従来の光学走査装置では、以下に示す問題を生じる。
【００１１】
特許文献１に開示される光学走査装置は、複数のレーザ光源を保持する保持部材が、弾性を有する単一の固定部材によって位置決め溝に固定される構成を有する。この構成によれば、位置決め溝の開口部分が互いに対向するように形成されているので、２つの保持部
材が対向しつつ、単一の固定部材によって各々の位置決め溝に押し付けられて固定されることになる。
【００１２】
しかしこの構成によると、一方のレーザ光源装置が動いた場合に、固定部材を介して他方のレーザ光源装置も動いてしまうことになるので、レーザ光の照射精度が低下してしまう。
【００１３】
また、光学走査装置に対してレーザ光源の保持部材を光軸方向に挿入して取り付ける際に、固定部材に付勢されながら保持部材を取り付けることになるので、保持部材に設けられる光学部品がストレスを受けてしまう。
【００１４】
また、図１１に示すように、互いに対向する保持部材の間に弾性部材１００を介在させ、弾性部材１００の反力によってレーザ光源装置１１０、１２０を位置決め溝に押し付けて固定する構成も開示されている。しかし、この場合は保持部材どうしの非常に狭い間隔に弾性部材１００を介在させることになるので、組み立て性に問題を生じる。
【００１５】
また、レーザ光源装置が光軸中心に回動する必要がある場合、一方のレーザ光源装置を回動させることで、他方のレーザ光源装置の位置ズレを引き起こす可能性がある。
【００１６】
さらに、特許文献１に開示される構成では、レーザ光源装置を組み付ける際に、光学箱の一部を切り欠く必要がある。よって、回転多面鏡のモータが駆動することによって生じる振動がレーザ光源装置に伝わりやすい。
【００１７】
一方で特許文献２には、加振部であるモータ近傍の光学箱の剛性を向上させる構成が開示されているものの、特許文献２には、単一のレーザ光源装置が備えられる構成が開示されているに過ぎない。よって、複数のレーザ光源装置が備えられる場合に、光学箱の剛性を向上させる構成については開示されていない。
【００１８】
以上より、従来例に係る光学走査装置には、複数のレーザ光源装置を備える光学走査装置において、光学部品にストレスを与えることなくレーザ光源装置を取り付け、かつレーザ光源装置を安定して固定させる構成は開示されていない。
【００１９】
上記現状に鑑みて、本発明は、複数のレーザ光源装置を備える光学走査装置において、光学部品にストレスを与えることなくレーザ光源装置を取り付け、かつレーザ光源装置を安定して固定させることが可能な光学走査装置を提供することを目的とする。
【課題を解決するための手段】
【００２０】
上記目的を達成するために本発明にあっては、複数のレーザ光源を有するレーザ光源装置と、前記レーザ光源装置から射出されるレーザ光を偏向走査する偏向手段と、前記レーザ光の光路上に設けられる光学部品と、前記偏向手段、及び前記光学部品を収容する光学箱と、を備え、前記光学箱の側面にはトンネル形状の中空部が形成されると共に、前記レーザ光源装置が、前記中空部内に取り付けられる弾性部材に付勢されて前記中空部内の内壁に押し付けられることで、前記光学箱に対して位置決めされる光学走査装置であって、前記レーザ光源装置は、前記複数のレーザ光源を保持するホルダ部材を備え、前記ホルダ部材の外周には、前記レーザ光の射出方向と直交する方向に凸である凸部と、前記中空部内の内壁に当接して、前記光学箱に対して前記レーザ光源装置を位置決めする位置決め基準面と、が形成され、前記レーザ光源装置を前記トンネル形状の中空部内に取り付ける際は、前記凸部を前記弾性部材に当接させないようにして前記中空部内に挿入し、所定の位置まで挿入した後に、前記レーザ光源装置を前記レーザ光が射出される方向と直交する方向に所定角度回転させて前記凸部と前記弾性部材を当接させることで、前記凸部が前記弾
性部材から付勢されて前記位置決め基準面が前記中空部内の内壁に押し付けられ、これにより前記レーザ光源装置が前記光学箱に対して位置決め可能に構成されることを特徴とする。
【発明の効果】
【００２１】
本発明によれば、複数のレーザ光源装置を備える光学走査装置において、光学部品にストレスを与えることなくレーザ光源装置を取り付け、かつレーザ光源装置を安定して固定させることが可能な光学走査装置を提供することが出来る。
【発明を実施するための最良の形態】
【００２２】
以下に図面を参照して、この発明を実施するための最良の形態を、実施の形態に基づいて例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００２３】
[第１の実施の形態]
図１〜図６を参照して本発明の第１の実施の形態に係る光学走査装置について説明を行う。
【００２４】
（画像形成装置の全体構成）
図１を参照して本実施の形態における画像形成装置の全体構成について説明する。図１は、本実施の形態における画像形成装置の概略構成図ある。
【００２５】
本実施の形態における画像形成装置には、イエロー（Ｙ）、マゼンタ（Ｍ）、シアン（Ｃ）、ブラック（ＢＫ）のそれぞれに対応する感光ドラム（像担持体）１Ｙ、１Ｍ、１Ｃ、１ＢＫが一列に並んで備えられる。
【００２６】
また、各々の感光ドラム１に対してレーザ光を照射して静電潜像を形成する光学走査装置５１ａ、５１ｂが、感光ドラム１に対向して備えられる。光学走査装置５１ａは、感光ドラム１Ｙ、１Ｍにレーザ光ＬＹ、ＬＭを照射し、光学走査装置５１ｂは、感光ドラム１Ｃ、１ＢＫにレーザ光ＬＣ、ＬＢＫを照射するものである。なお、光学走査装置５１ａ、５１ｂの構成については後に説明する。
【００２７】
画像形成開始の信号が不図示の制御部に入力されると、画像情報に基づいて光学走査装置５１ａ、５１ｂに備えられるレーザ光源装置から、各々のレーザ光源装置に対応する感光ドラム１の表面に対してレーザ光が射出される。なお、レーザ光が射出される前工程において感光ドラム１の表面は、感光ドラム１に接触して設けられる帯電ローラ２Ｙ、２Ｍ、２Ｃ、２ＢＫ（帯電手段）によって一様に帯電されている。
【００２８】
レーザ光が射出された各々の感光ドラム１の表面には、画像情報に基づいた静電潜像が形成される。そして各色のトナーが収容される現像装置４Ｙ、４Ｍ、４Ｃ、４ＢＫから静電潜像に対してトナーが供給され、各々の感光ドラム１の表面には各色のトナーに対応するトナー像が形成される。
【００２９】
各々の感光ドラム１の表面に形成されたトナー像は、感光ドラム１の回転と共に移動し、感光ドラム１と１次転写ローラ６Ｙ、６Ｍ、６Ｃ、６ＢＫのニップ部まで搬送される。そこで中間転写ベルト８の上に順次重ね合わせてトナー像が転写され、中間転写ベルト８の上には所望のカラー画像が形成される。なお、中間転写ベルト８上に転写されずに感光ドラム１上に残留したトナーは、各々の感光ドラム１の表面に接触して設けられるクリーニング装置５Ｙ、５Ｍ、５Ｃ、５ＢＫによって除去される。
【００３０】
中間転写ベルト８上に転写されたカラー画像は中間転写ベルト８の移動と共に搬送され、中間転写ベルト８と２次転写ローラ２３のニップ部において、給送トレイ２１から給送ローラ２２を経て搬送されるシート材Ｐに転写される。
【００３１】
そしてカラー画像が転写されたシート材Ｐは、定着器２４に搬送され、シート材Ｐ上にカラー画像が加圧・加熱定着される。その後、シート材Ｐは排出トレイ２５に排出される。
【００３２】
（光学走査装置の構成）
次に図２を参照して、本実施の形態に係る光学走査装置の構成について説明する。図２は本実施の形態に係る光学走査装置の概略構成を示す斜視図である。
【００３３】
上記で説明したように本実施の形態では、画像形成装置本体に光学走査装置５１ａ、５１ｂが設けられており、光学走査装置５１ａ、５１ｂは同一の構成を有している。よって、ここでは光学走査装置５１ａの構成についてのみ説明を行うものとする。
【００３４】
光学走査装置５１ａは、感光ドラム１Ｙに対してレーザ光ＬＹを射出するレーザ光源装置５０Ｙと、感光ドラム１Ｍに対してレーザ光ＬＭを射出するレーザ光源装置５０Ｍと、各々レーザ光の光路上に設けられるレンズ等の複数の光学部品を備えている。なお、レーザ光源装置５０Ｙ、５０Ｍの構成については後に説明する。
【００３５】
また、光学箱３０の底面には、レーザ光源装置５０Ｙ、５０Ｍから射出されたレーザ光を偏向走査するための偏向器１９ａ（偏向手段）が備えられ、偏向器１９ａには、不図示のモータによって回転する回転多面鏡１２が設けられる。なお、レーザ光源装置５０、偏向器１９ａ、複数の光学部品は、光学箱３０に収容されている。
【００３６】
レーザ光源装置５０Ｙ、５０Ｍから射出されたレーザ光は、回転多面鏡１２の異なる反射面に入射し、各々異なる方向へ反射される。回転多面鏡１２によって反射されたレーザ光は、各々１枚目の走査レンズ１３Ｙ、１３Ｍを透過し、折り返しミラー１４Ｙ、１４Ｍに入射する。
【００３７】
折り返しミラー１４Ｙ、１４Ｍのピッチは感光ドラム１Ｙ、１Ｍのピッチと同一であって、入射されるレーザ光を略４５°の角度で反射して、レーザ光を感光ドラム１Ｙ、１Ｍの方向へ走査する。
【００３８】
折り返しミラー１４Ｙ、１４Ｍに反射されたレーザ光は、２枚目の走査レンズ１５Ｙ、１５Ｍを透過し、感光ドラム１Ｙ、１Ｍの表面を走査する。
【００３９】
（レーザ光源装置の構成）
図３〜図６を参照して本実施の形態におけるレーザ光源装置の構成について説明する。図３、図５は、図２におけるＷ方向からレーザ光源装置５０Ｙ、５０Ｍを見たときの概略構成図である。図４は、レーザ光源装置５０Ｙ、５０Ｍの断面における概略構成図である。また、図６はレーザ光源装置５０Ｙ、５０Ｍの斜視図である。なお、レーザ光源装置５０Ｃ、５０Ｂｋの構成はレーザ光源装置５０Ｙ、５０Ｍの構成と同一であるのでその説明は省略し、ここではレーザ光源装置５０Ｙ、５０Ｍの構成のみ説明する。
【００４０】
図４に示すように、レーザ光源装置５０Ｙ、５０Ｍは、光学箱３０の側面に形成されるトンネル形状の中空部内に水平方向に互いに隣り合うようにして設けられる。なお、光学箱に設けられるトンネル形状の中空部は、少なくともレーザ光の射出方向に開口するもの
である。
【００４１】
各々のレーザ光源装置５０には、複数の発光点からレーザ光を射出する半導体レーザ３１Ｙ、３１Ｍ（レーザ光源）と、半導体レーザ３１から射出されたレーザを略平行にするコリメータレンズ３２Ｙ、３２Ｍと、が備えられる。半導体レーザ３１Ｙ、３１Ｍと、コリメータレンズ３２Ｙ、３２Ｍは、各々レーザホルダ３３Ｙ、３３Ｍ（ホルダ部材）に保持される。
【００４２】
また、レーザ光源装置５０Ｙ、５０Ｍは光軸を中心に回転可能に構成され、光軸を中心に回転することで、画像上の副走査方向のピッチ間隔を調整している。
【００４３】
次に光学箱３０のトンネル形状の中空部に対するレーザ光源装置５０Ｙ、５０Ｍの位置決め方法について説明する。レーザホルダ３３Ｙの外周には、位置決め基準面３４Ｙ、３５Ｙが形成され、同様にレーザホルダ３３Ｍの外周には、位置決め基準面３４Ｍ、３５Ｍが形成される（図３、５、６）。
【００４４】
一方で光学箱３０のトンネル形状の中空部の内壁には、レーザ光源装置５０Ｙ、５０Ｍが挿入される方向に沿って、略Ｖ字状の取り付け基準面４１が形成されている。
【００４５】
さらに、光学箱３０のトンネル形状部には、弾性部材として板バネ４０が取り付けられている。板バネ４０は、レーザ光源装置５０Ｙ、５０Ｍを光学箱３０に対して取り付ける前に、予め光学箱３０のトンネル形状部に取り付けられるものである。
【００４６】
そしてレーザ光源装置５０Ｙ、５０Ｍを光学箱３０に対して位置決めする際は、板バネ４０が光源装置５０Ｙ、５０Ｍの当接面（凸部）３６Ｙ、３６Ｍを付勢して、位置決め基準面３４Ｙ、３５Ｙ、３４Ｍ、３５Ｍを取り付け基準面４１に押し付ける。なお、レーザ光源装置５０Ｙ、５０Ｍに形成される位置決め基準面３４Ｙ、３５Ｙ、３４Ｍ、３５Ｍ、当接面３６Ｙ、３６Ｍは、レーザ光の射出方向と直交する方向に凸になるように構成される（図３参照）。
【００４７】
また、レーザ光源装置５０Ｙ、５０Ｍの光軸方向の位置決めは、レーザ光源装置５０Ｙ、５０Ｍに設けられる位置決め突起部３７Ｙ、３７Ｍを光学箱３０に接触させることで行う。すなわち、位置決め突起部３７Ｙ、３７Ｍが光学箱３０に接触する所定の位置まで光学装置５０Ｙ、５０Ｍを中空部内に挿入すると、レーザ光源装置５０Ｙ、５０Ｍの光軸方向は光学箱３０に対して最適な位置に位置決めされることになる（図６参照）。
【００４８】
また、レーザ光源装置５０Ｙ、５０Ｍを光学箱３０に対して位置決めした状態においては、レーザ光源装置５０Ｙ、５０Ｍを光軸中心に±１０°回転させても、レーザ光源装置５０Ｙ、５０Ｍが光学箱３０から脱落しないようにすることが望ましい。すなわち本実施の形態では、レーザ光源装置５０Ｙ、５０Ｍを光軸中心に±１０°回転させても、位置決め基準面３４、３５は取り付け基準面４１に当接する状態を保ち、当接面（凸部）３６は板バネ４０から付勢される状態を保つことが可能である。
【００４９】
この構成によれば、図３に示すように当接面３６を介してレーザ光源装置５０Ｙ、５０Ｍを板バネ４０に付勢させ、位置決め基準面３４、３５を取り付け基準面４１に確実に当接させたまま、画像上の副走査方向のピッチ間隔を調整することが出来る。
【００５０】
また、レーザ光源装置５０Ｙ、５０Ｍを光学箱３０の中空部に挿入する際は、当接面３６が板バネ４０に当接せず、かつ位置決め基準面３４、３５が取り付け基準面４１に当接しない状態で挿入することが可能である（図５参照）。
【００５１】
そして、位置決め突起部３７Ｙ、３７Ｍが光学箱３０に接触すると、光学装置５０Ｙ、５０Ｍを所定角度回転させ、当接面３６が板バネ４０を押し込むことで得られる板バネ４０の反力によってレーザ光源装置５０Ｙ、５０Ｍを光学箱３０に装着する。
【００５２】
この構成によれば、板バネ４０が各々のレーザ光源装置５０Ｙ、５０Ｍを各々独立して付勢することが可能である。また、レーザ光源装置５０Ｙ、５０Ｍを挿入する際に、レーザ光源装置５０Ｙ、５０Ｍが板バネ４０から付勢されることがないので、例えばコリメータレンズ３２Ｙ、３２Ｍ等の光学部品がストレスを受けることがない。すなわち、レーザ光源装置５０を取り付ける際に生じる光学部品の位置ズレ、破損等を防ぐことが可能になる。
【００５３】
以上より、本実施の形態によれば、光学部品にストレスを与えることなくレーザ光源装置５０Ｙ、５０Ｍを取り付け、かつレーザ光源装置５０Ｙ、５０Ｍを安定して固定させることが可能な光学走査装置５１ａを提供することが可能になる。
【００５４】
[第２の実施の形態]
図７〜図１０を参照して本発明の第２の実施の形態に係る光学走査装置８０について説明する。本実施の形態に係る光学走査装置８０は、２つのレーザ光源装置から４色に分解された画像信号によって、対応する各々の感光ドラム１の表面にレーザ光を照射してフルカラー画像を得る構成である。なお、本実施の形態に係る光学走査装置８０が用いられる画像形成装置の全体構成は上記第１の実施の形態と異なるものではないのでその説明は省略し、ここでは光学走査装置の構成のみ説明を行う。
【００５５】
図７は、本実施の形態に係る光学走査装置８０の概略斜視図である。本実施の形態に係る光学走査装置は、レーザ光源装置７０Ｙ、７０Ｍが図中Ｚ方向（鉛直方向）に並べられることを特徴とする。
【００５６】
図９は、本実施の形態に係る光学走査装置８０の概略断面図である。本実施の形態におけるレーザ光源装置７０Ｙ、７０Ｍは、複数の発光点からレーザ光を射出する半導体レーザ（レーザ光源）３１Ｙ、３１Ｍと、半導体レーザ３１から射出されたレーザを略平行にするコリメータレンズ３２Ｙ、３２Ｍと、が備えられる。半導体レーザ３１Ｙ、３１Ｍと、コリメータレンズ３２Ｙ、３２Ｍは、各々レーザホルダ（ホルダ部材）３３Ｙ、３３Ｍに保持される。
【００５７】
レーザホルダ３３Ｙ、３３Ｍの外周には受部（位置決め基準面）７４Ｙ、７４Ｍが形成され、この受部７４Ｙ、７４Ｍが光学箱３０のトンネル形状の中空部の内壁８４に当接し、光学箱３０に対して位置決めされる。また、受部７４Ｙ、７４Ｍは、レーザ光の射出方向に徐々に直径が小さくなるように構成される。すなわち、レーザホルダ３３Ｙ、３３Ｍは先端に行くに従ってその直径が小さくなる先細りの形状を有する。
【００５８】
さらに図１０に示すようにレーザホルダ３３Ｙの外周には、部分的にレーザ光の射出方向と直交する方向に凸である板バネ受部６０Ｙ（凸部）が形成されており、この部分が板バネ６６に付勢される。なお、レーザホルダ３３Ｍにも同様の板バネ受部（不図示）が形成されている。
【００５９】
図８は、本実施の形態におけるレーザ光源装置の概略構成図である。図８に示すように、本実施の形態におけるレーザ光源装置７０Ｙ、７０Ｍは、レーザホルダ３３Ｙ、３３Ｍに設けられる板バネ受部（凸部）６０Ｙ、６０Ｍにおいて板バネ６６に付勢される。
【００６０】
板バネ６６に付勢されることで、レーザ光源装置７０Ｙ、７０Ｍは、光学箱３０のトンネル形状の中空部の内壁８４に確実に押しつけられる。なお、板バネ６６から付勢される板バネ受部６０Ｙ、６０Ｍは、トンネル形状の中空部内では、互いに平行になるように保持される。
【００６１】
以上の構成により、レーザ光ＬＹ、ＬＭは、水平面となす所定の角度αをもって、隣り合う互いのレーザ光が近づくようにコリメータレンズ３２Ｙ、３２Ｍ、シリンドリカルレンズ６８を透過して、回転多面鏡１２の同一反射面に入射可能である。
【００６２】
また、本実施の形態におけるレーザ光源装置７０Ｙ、７０Ｍの位置決め方法は、上記第１の実施の形態と同様である。すなわち、レーザ光源装置７０Ｙ、７０Ｍを取り付ける際には、レーザホルダ３３Ｙ、３３Ｍが板バネ６６から付勢されない角度で光学箱３０のトンネル形状部に挿入し、所定量挿入した後にレーザ光源装置７０Ｙ、７０Ｍを所定角度回転させればよい。
【００６３】
この方法によれば、レーザ光源装置７０Ｙ、７０Ｍを挿入する際に、レーザ光源装置７０Ｙ、７０Ｍが板バネ６６から付勢されることがないので、例えばコリメータレンズ３２Ｙ、３２Ｍ等の光学部品がストレスを受けることがない。すなわち、レーザ光源装置７０を取り付ける際に生じる光学部品の位置ズレ、破損等を防ぐことが可能になる。
【００６４】
以上より、本実施の形態によれば、光学部品にストレスを与えることなくレーザ光源装置７０Ｙ、７０Ｍを取り付け、かつレーザ光源装置７０Ｙ、７０Ｍを安定して固定させることが可能な光学走査装置を提供することが可能になる。
【００６５】
さらに、本実施の形態では、振動等により板バネ６６がレーザ光の射出方向にずれても、板バネ６６がレーザホルダ３３Ｙ、３３Ｍの板バネ受部６０Ｙ、６０Ｍと確実に当接する状態を保つことができる。すなわち、板バネ６６の撓み量は変化しないので、レーザ光源装置７０Ｙ、７０Ｍの姿勢を安定させることができる。また、板バネ６６の組み付け誤差により生じる付勢力の変動を抑制することができる。
【００６６】
なお、本実施の形態では、レーザ光源装置７０Ｙ、７０Ｍを図中Ｚ方向（鉛直方向）に並べる構成とした。しかし、本発明におけるレーザ光源装置の配置はこれに限られるものではない。
【００６７】
レーザ光源装置７０Ｙ、７０Ｍの並び方向を変え、それに伴って板バネ６６の加圧方向を変える場合であっても、板バネ６６と板バネ受部６０Ｙ、６０Ｍが当接する面が図７中Ｙ方向に平行であれば、本実施の形態と同様の効果を得ることができる。
【図面の簡単な説明】
【００６８】
【図１】第１の実施の形態における画像形成装置の概略構成図
【図２】第１の実施の形態に係る光学走査装置の概略斜視図
【図３】第１の実施の形態におけるレーザ光源装置の概略構成図
【図４】第１の実施の形態におけるレーザ光源装置の概略断面図
【図５】第１の実施の形態におけるレーザ光源装置の概略構成図
【図６】第１の実施の形態におけるレーザ光源装置の概略斜視図
【図７】第２の実施の形態に係る光学走査装置の概略斜視図
【図８】第２の実施の形態におけるレーザ光源装置の概略構成図
【図９】第２の実施の形態に係る光学走査装置の概略断面図
【図１０】第２の実施の形態におけるレーザ光源装置の概略断面図
【図１１】従来例に係る光学走査装置の概略構成図
【符号の説明】
【００６９】
１２    回転多面鏡
３０    光学箱
３１    半導体レーザ
３４    位置決め基準面
３５    位置決め基準面
３６    当接面
３７    位置決め突起部
４０    板バネ
４１    取り付け基準面
５０ａ  レーザ光源装置
５０ｂ  レーザ光源装置
５１ａ  光学走査装置
５１ｂ  光学走査装置
６０    板バネ受部
【図１】
2009150994.tif 000003
【図２】
2009150994.tif 000004
【図３】
2009150994.tif 000005
【図４】
2009150994.tif 000006
【図５】
2009150994.tif 000007
【図６】
2009150994.tif 000008
【図７】
2009150994.tif 000009
【図８】
2009150994.tif 000010
【図９】
2009150994.tif 000011
【図１０】
2009150994.tif 000012
【図１１】
2009150994.tif 000013